Podtech/llm-jp-corpus-v4-ja_patent huggingface dataset:
(57)【要約】【課題】  本考案は写真用三脚に傘を取付けて一体化し、降雨時での写真撮影でも両手を空けて雨に濡れる事もなく撮影に専念出来る様にする為の補助用具【解決手段】  本考案は写真用三脚の雲台下のエレベ−タ−ポ−ルに支持用上金具Ｂを取付けエレベ−タ−ポ−ル又はポ−ルカバ−Ｃの下部に支持金具Ｄを取付ける。支持金具間に傘ホルダ−Ｇを通し、傘ホルダ−Ｇに傘のパイプＥを差し込みロックナットＦで締めて傘が抜けない様にしてから傘を広げる事で、両手が空き濡れることなくカメラの操作に専念出来る。【選択図】  図１
0003117416.tif 000002
【実用新案登録請求の範囲】
【請求項１】
本考案は、写真用三脚に取付けられる支持金具において傘を支持する。
前記支持金具は、前記三脚のエレベ−タ−ポ−ルに取付けられる複数の支持部材から成り前記各部材は傘を挿入出来ることの孔を有するを特徴とする支持金具である
【請求項２】
請求項１に記載された支持金具であって、前記孔が開閉自在で有ることを特徴とする支持金具である。
【請求項３】
請求項１又は２の何れかに記載された支持金具であって、前記複数の支持部材は、前記エレベ−タ−ポ−ルに『揺動自在に』取付けられていることを特徴とする支持金具である。
【請求項４】
請求項１乃至３の何れかに記載された支持金具であって『揺動自在に』対して『上下動自在に』にも対処して取付けられていることを特徴とする支持金具である。
【考案の詳細な説明】
【技術分野】
【０００１】本考案は、写真用三脚と傘を一体化するものである。
【技術背景】
【０００２】降雨の中での写真撮影の時にカメラが濡れない様にするには、下記の様な方法で対処している。
１  片手で傘を持ち、もう片方の手でカメラの操作をする。
２  カメラだけにビニ−ル等を被せる。
３  頭から、カメラごと被るビニ−ルの袋等で雨を避ける。
４  助手や仲間に傘での雨除けを頼む。
５  雨の掛からない場所を探す。
【考案の開示】
【考案が解決しょうとする課題】
【０００３】普通の降雨、降雪であれば、心配なく安心してカメラの操作、写真撮影に専念出来る様にする。
【課題を解決するための手段】
【０００４】写真用三脚に取付けられる支持金具において傘を支持する。
【考案の効果】
【０００５】  １  両手を空ける事が出来る。
２  降雨、降雪、夜露等の水気を防ぐ事が出来る。
３  傘ホルダ−を斜め傾ける事により、逆光時の遮光が出来る。
４  上下の支持金具を左右に動かす事により、斜めの角度を自由に作る事が出来る。
５  日傘として使用出来る。
６  カメラを俯瞰ないし仰角にしても、傘は常に真上に有る。
７  エレベ−タ−を上げると傘も一緒に上がる。
８  傘を使用しない時は、傘ホルダ−に取付けて、三脚との一体化が出来るので晴天の時でも恥ずかしくなく持ち運びが出来る。
９  三脚と傘を別々に持つ煩わしさが無い。
１０  クサビ使用で、傘の高さを調整する事が出来る。
１１  橋上での撮影時、下からの風で傘が浮き上がるのを、クサビにて防ぐ事が出来る。
１２  傘が、雨を受けた時の振動をカメラに伝える事は無い。
【図面の簡単な説明】
【０００６】
【図１】傘を取付けた状態の正面図
【図２】側面図
【図３】収納時の状態
【図４】取付け金具
【図５】傘ホルダ−
【図６】支管材
【図７】クサビ
【符号の説明】
【０００７】Ａ：雲台の台座
Ｂ：支持用上金具
Ｃ：エレベ−タ−ポ−ル又はエレベ−タ−ポ−ルカバ−
Ｄ：支持用下金具
Ｅ：傘のパイプ
Ｆ：ロックナット
Ｇ：傘ホルダ−
Ｈ：傘止め用支管材
Ｉ：傘
Ｊ：傘先端用アイボルト
Ｋ：傘先端
Ｌ：三脚
【図１】
0003117416.tif 000003
【図２】
0003117416.tif 000004
【図３】
0003117416.tif 000005
【図４】
0003117416.tif 000006
【図５】
0003117416.tif 000007
【図６】
0003117416.tif 000008
【図７】
0003117416.tif 000009
【手続補正書】
【提出日】平成17年9月22日(2005.9.22)
【手続補正１】
【補正対象書類名】実用新案登録請求の範囲
【補正対象項目名】全文
【補正方法】変更
【補正の内容】
【実用新案登録請求の範囲】
【請求項１】
本考案はエレベ−タ−ポ−ルＣの上部に支持用上金具Ｂを取付け、下部に支持用下金具Ｄを取付け上金具と下金具のそれぞれには、傘を取付ける為の傘ホルダ−を挿入することが出来る孔がもうけられていることを特徴とする写真用三脚傘ホルダ−である。
【請求項２】
請求項１に記載された支持金具であって、前記孔が開閉自在で有ることを特徴とする支持金具である。
【請求項３】
請求項１又は２の何れかに記載された支持金具であって、前記複数の支持部材は、前記エレベ−タ−ポ−ルに『揺動自在に』取付けられていることを特徴とする支持金具である。
【請求項４】
請求項１又は３の何れかに記載された支持金具であって、『揺動自在に』対して『上下動自在に』にも対処して取付けられていることを特徴とする支持金具である。
【手続補正３】
【補正対象書類名】明細書
【補正対象項目名】０００４
【補正方法】変更
【補正の内容】
【０００４】本考案はエレベ−タ−ポ−ルＣの上部に支持用上金具Ｂを取付け、下部に支持用下金具Ｄを取付け上金具と下金具のそれぞれには、傘を取付ける為の傘ホルダ−を挿入することが出来る孔がもうけられていることを特徴とする写真用三脚傘ホルダ−である。
(57)【要約】      （修正有）【課題】外観にひびかず、その存在が目障りにならないファッション的にも有効な肩パットの提供。【解決手段】素材を透明にすることにより、従来の肩パットの機能を有しながらも  薄物生地の服も違和感の無い着心地、外観になる。【選択図】図１
0003117414.tif 000002
【実用新案登録請求の範囲】
【請求項１】
透明な素材を使って肩パットを作る。
【考案の詳細な説明】
【技術分野】
【０００１】本案は透明な素材で形成する肩パットである。
【背景技術】
【０００２】薄い生地製の洋服では従来の布製の肩パットでは外観が悪い。
【考案の開示】
【考案が解決しようとするための手段】
【０００３】上述の様に透明な素材を使って形成する。
【考案の効果】
【０００４】透明な素材を使うことに依、肩パットの存在が目障りにならない。
【図面の簡単な説明】
【０００５】
【図１】本考案の形成例である。
【符号の説明】
【０００６】１  表面
２  底面
３  厚み
【図１】
0003117414.tif 000003
【手続補正書】
【提出日】平成17年9月16日(2005.9.16)
【手続補正１】
【補正対象書類名】明細書
【補正の内容】
0003117414.tif 000004
(57)【要約】【課題】穀物や稲も刈り取る、庭園の芝生や農耕地などで自然に生育する雑草を刈るまた木の枝を切り落とす事もできる除草用二股鎌を提供する。【解決手段】鋼鉄部材２の先端部から左右に分岐した二股状の湾曲先細板部材３の一側の内側を刃鎌４としまた他側の内側を鋸鎌５としかつ刃鎌４と鋸鎌５を相反する側に弧状曲げした鎌先金具１の後端部を、柄６の先端部に設けた除草用二股鎌である。【選択図】図１
0003117415.tif 000002
【実用新案登録請求の範囲】
【請求項１】
鋼鉄部材の先端部から左右に分岐した二股状の湾曲先細板部材の一側の内側を刃鎌としまた他側の内側を鋸鎌としかつ刃鎌と鋸鎌を相反する側に弧状曲げした鎌先金具の後端部を、柄の先端部に設けて構成した事を特徴とする除草用二股鎌。
【考案の詳細な説明】
【技術分野】
【０００１】  本考案は庭園の芝生あるいは農耕地やその周辺、堤防の河川敷や工場の敷地などの空き地で自然に生育する雑草や木の枝また木や他のものに巻き付いた植物の蔓などを刈る、切る際に使用される除草用二股鎌に関するものである。
【従来技術】
【０００２】  年に何回も刈り込まれる庭園やゴルフ場の芝生、土起こしが頻繁に行われる農耕地、人が余り通らない沿道など、場所によって生育する雑草が異なり、ススキ、イタドリ、ドクダミなど多くの種類の雑草が生育する。生育する雑草は、農耕地で生産する作物の成長に害を与え、人間が生活する上でも防災や景観を損なう問題から刈り取られている。また雑草の生育地は、庭園やゴルフ場や工場の空き地など平坦で広い場所では携帯用の刈払機やトラクター装着車などの機械機具を使用する事が出来るが、狭く石ころの多い空き地や柔らかい土が堆積した河川敷や崖の様な傾斜地などでは、機械機具を使用する事は危険で効率的な刈り取り作業が行えないため、鎌が使用される。
【０００３】  鎌は昔から穀物を刈る刃物として使用され、刃部が滑らかな刃鎌や刃部を鋸歯の様に目立てた鋸鎌がある。刃鎌には、穀類や比較的柔らかい草を刈り取る薄刃の稲刈鎌または草刈鎌、大きく強靭な草を刈る中厚の鎌、木の枝や灌木を切り払う厚鎌または木鎌もある。これらの刃鎌は、刃が柄に直角に付けられ、刃を手前横に引き払う様にして穀物を刈る。また鋸鎌は、弾力に富んだ柔らかい稲藁を切断する稲刈専用の鎌で、鋸刃が柄に鈍角に儲けられている。さらに刃長や柄長が異なる大小の鎌もある。
【考案の開示】
【考案が解決しようとする課題】
【０００４】  鎌には、上記の様に用途に応じて使い分けされるため、多くの種類がある。中でも鋸鎌は、稲刈専用の鎌である事から、一般に市販される事がなくまた除草に使用される事もなかった。【０００５】  本考案は、これら多くの種類の鎌を２種類に集約し、穀物や稲も刈り取る、庭園の芝生や農耕地などで自然に生育する雑草を刈るまた木の枝を切り落とす事もできる除草用二股鎌を提供するものである。
【課題を解決するための手段】
【０００６】  本考案の要旨は、鋼鉄部材の先端部から左右に分岐した二股状の湾曲先細板部材の一側の内側を刃鎌としまた他側の内側を鋸鎌としかつ刃鎌と鋸鎌を相反する側に弧状曲げした鎌先金具の後端部を、柄の先端部に設けた除草用二股鎌である。
【考案の効果】
【０００７】  本考案の除草用二股鎌は、比較的に刈り取り易い雑草や刈り取り難い蔓の雑草などその時に出くわした草の状況に対応して即座に刈り取る事ができ、大きく成長した雑草も束ねながら容易に刈る事ができる。また何本にもなった雑草を束ね寄せながら刈るため効率的な除草作業を行う事ができ、さらに根元の株も容易に引き抜く事ができるなど、一丁で多くの種類の刈り方が容易にできる利点がある。
【考案を実施するための最良の形態】
【０００８】  以下、本考案の除草用二股鎌について、図面を参照しながら、詳細に説明する。
図１は本考案の一実施例を示したもので、ａ図は側視図、ｂ図は鎌先金具の外視図を示す。図１において、１は鋼鉄製の鎌先金具である。鎌先金具１は、構造用鋼材やステンレス鋼材や特殊鋼材あるいはこれらの合わせ鋼材またはこれらの鋳鋼部材などの鋼鉄部材２を鍛造あるいは機械加工などを施し、該鋼鉄部材２の先端部からＴ形やＹ形の如き左右に分岐した二股状の湾曲先細板部材３に成形し、該湾曲先細板部材３の一側の内側つまり引き払う側の端縁部を刃鎌４としまた他側の内側を同様に引き払う側の端縁部を鋸鎌５とし、さらに刃鎌４および鋸鎌５の長手（刃長）方向を、図ｂで示す様に両者相反する側（厚み方向）へ軽度の弧状曲げを施す形状に成形している。６は柄である。柄６の先端部に、鎌先金具１の後端部がしっかりと取付けられている。
本考案における鎌先金具１の先端部すなわち刃鎌４および鋸鎌５の刃長方向を弧状曲げする事によって、刃鎌４および鋸鎌５の中央部で稲や雑草を束ね寄せながら、効率的に刈り取る効果を奏する。また刃鎌４および鋸鎌５を相反する方向で弧状曲げる事によって、鎌先金具１に高い強度が付与され、耐久性の長い除草用二股鎌が製作される。さらには本考案において刃鎌４および鋸鎌５が先細板形状に成形されているため、雑草を刈る際に刈り残した余分の雑草が絡み付く事が少なく、必要な力で刈取作業を行える作用を奏する。
さらに本考案において、刃鎌４および鋸鎌５の刃長と柄６の長さは、雑草を一度に刈る量、使用する人の力や刈り取る姿勢の要求に応じて選択されるもので、特に限定するものでない。【０００９】  上記の様に構成された本考案の除草用二股鎌は、従来の鎌と同様に、短い柄の除草用二股鎌では片手で稲や雑草を掴みながら手前横に引き払いながら刈り、また長い短い柄の除草用二股鎌では手前両側に引き払いながら刈り取る。また本考案の除草用二股鎌を持ち運ぶ場合は、身の安全を守るため、刃鎌４および鋸鎌５に保護カバーを被せるとよい。
【産業上の利用可能性】
【００１０】  最近、家庭菜園が盛んに行われる中で、使用される可能性は高い。
【図面の簡単な説明】
【００１１】
【図１】本考案の一実施例を示したもので、ａ図は側視図、ｂ図は鎌先金具の外視図を示す。
【符号の説明】
【００１２】  １  鎌先金具１
２  鋼鉄部材
３  湾曲先細板部材
４  刃鎌
５  鋸鎌
６  柄
【図１】
0003117415.tif 000003
(57)【要約】【課題】  本考案は振り出された釣糸本体に直接当り獲りを設け、魚の食い付きを明確なものとし、釣果を上げる。【解決手段】  本考案は釣糸本体８に木材３を設け、その片側に鋼２、鈴４を装着したプラスチック板１がしなっても外れない様に結合し、そのプラスチック板１を当り獲り設置可能な地面等に刺し魚の食い付きを待つ。その当り獲りに魚が食い付いたことによりプラスチック板１がしなり鈴４が鳴り、木材３から糸８が外れ、当り獲りが釣人に魚の食い付きを知らせることで釣果を上げることに役立つ。【選択図】  図１
0003117411.tif 000002
【実用新案登録請求の範囲】
【請求項１】
釣竿から振り出された釣糸に、直接当り獲りを設け、当り獲りのしなり具合と鈴の音が十分発揮出来る様、鋼によるバネの力を利用し当りを感知すると共に薄いプラスチック板により、横風の影響を小さくする。また、竿を立てておけない状況での利用を可能とし、魚の有無に関わらず糸を巻く際に邪魔にならないように取り外し自在を特徴とする当り獲り装置。
【考案の詳細な説明】
【技術分野】
【０００１】  本考案は、竿先からの釣糸にプラスチック板、鋼の持つバネの力、木材、鈴の音で当たりを知らせる装置を設けた、当り獲りに関するものである。
【背景技術】
【０００２】  竿先に鈴をクリップでとめるタイプのものを用いた場合、その位置が高い為、風の影響を受けやすく、音も聞こえにくい。魚を吊り上げる際にも鈴の取り外しが難しい為、鈴が鳴りっぱなしだった。さらに、竿を立てることが困難な場所では、鈴が当り獲りの役目を果たせないでいた。
【考案の開示】
【考案が解決しようとする課題】
【０００３】  鈴クリップは鈴が高い位置への設置に成る為、鈴の揺れが魚によるものかどうかの判断が遅れていた。さらに、魚が当った際にも鈴が糸と絡み、魚を取り逃がす失敗につながっていた。
【課題を解決するための手段】
【０００４】  竿先ではなく、垂らした糸の途中に３０ｃｍ程度のプラスチックで作った竿と木材を鋼でつないだ当り獲りを用いて、目、耳での確認を簡単にした。さらに、魚が確実にヒットした場合、糸が魚に引っ張られ、当り獲りからはずれる仕様になっている為糸をまく際に邪魔になるという問題を解決している。
【考案の効果】
【０００５】  上述の様に、本考案の当り獲り装置は糸本体に直接、当り獲りを設置することにより、竿に当り獲りを設置するより一瞬速く当たりを感知することが出来、しかも、手元での取り外しが簡単に出来る為  釣果をあげることに役立つ。
【考案を実施するための最良の形態】
【０００６】  当り獲り本体の根元部分を、糸を引っ張った時にぐらつかない程度に、土や当り獲り装置設置可能な場所に固定し、糸は当り獲りより先がある程度張った状態で魚の食いを待つこととされる。また、当り獲りを手元で簡単に取り外し出来る所に設けることにより、魚のかかりの有無に関わらず、取り外し自在となる。
【実施例】
【０００７】  以下、添付図面に従って実施例を説明する。１は先端に向かって先細になっているプラスチック板、２は曲がるけれども折れないバネの力を持つ鋼、３は釣糸が適度に挟み込める木材、４は鈴、５は木材３が引っ張られた時に鋼２が力を発揮できる様にしっかりつなぎ止める為の糸、７は糸５による接続をより強化する為のビニールテープ、６は接続部分を保護する為の防水ゴム。
【産業上の利用可能性】
【０００８】  ３は先細りの木材２本をつなぎ合わせたもので、釣糸は木材３に挟み込めるものであれば、太さは無段階で設置可能となる。また、当り獲りが設置可能であれば釣竿を寝かせた状態で使用可能。
【図面の簡単な説明】
【０００９】
【図１】は本考案の当り獲り装置の実施例を示す正面図である。
【図２】は、本当り獲りの使用例を示す図である。
【符号の説明】
【００１０】１  プラスチック板
２  鋼
３  木材
４  鈴
５  糸
６  防水ゴム
７  ビニールテープ
８  釣糸
９  釣竿
【図１】
0003117411.tif 000003
【図２】
0003117411.tif 000004
【手続補正書】
【提出日】平成17年8月25日(2005.8.25)
【手続補正１】
【補正対象書類名】実用新案登録請求の範囲
【補正対象項目名】請求項１
【補正方法】変更
【補正の内容】
【請求項１】
先細りのプラスチック板本体と、円錐状の木材２本を結束した物を鋼で結合し、プラスチックと鋼の結合部分に鈴を設け、感度の良いミニチュアの釣竿のようにし、糸が引っ張られた時の力の返り分で、鈴が鳴り木材から糸が自然に外れることを特徴とする魚釣り用当り獲り装置。
(57)【要約】【課題】本考案は、携行性に優れた日時計を提供するものである。【解決手段】本体に腕にはめる為のバンドを装着し、同時にノーモンを折り畳める構造とする。【選択図】図１
0003117424.tif 000002
【実用新案登録請求の範囲】
【請求項１】
日時計とそれを腕に装着する為のバンドから構成される事。
【請求項２】
ノーモンが折り畳める構造である事。
【考案の詳細な説明】
【技術分野】
【０００１】本考案は、携行する為の日時計に関する。
【背景技術】
【０００２】従来、日時計は公園等に於ける固定構造物として設置される場合が多く、耐久性、若くは精度に関する技術が一般的に知られている。ただ、機械式時計の発明によって、昨今の自然思考的な時代背景にも関わらず、日時計そのものが前近代的且つ不確実な計測法として位置付けられている事が、例えば日時計の持つ優美性や独自性に着目して日常的に携行して利用するという発想の機会を疎外してきた。よって本考案による提示、或いは公開のない時点に於いては、日時計を携行する事を目的とした技術は存在しないものと考える。
【考案の開示】
【考案が解決しようとする課題】
【０００３】日時計が設置された場所まで行かなければならない。【０００４】腕に装着すると、ノーモンが被服の邪魔になる。
【課題を解決するための手段】
【０００５】小型化して腕に装着する為のバンドと組み合わせる。【０００６】ノーモンを折り畳める構造とする。
【考案の効果】
【０００７】日常的に携行して利用する事が可能となる。【０００８】不使用時にはノーモンを折り畳んで置く事によって、被服の邪魔にならなくなる。
【考案を実施するための最良の形態】
【０００９】腕にはめる為のバンドが有り、且つ一般的な腕時計で言う文字盤に相当する部分に、陰の角度から時間を読み取る為の目盛をもち、文字盤の中心線に沿って折り畳む事の出来る板状或いは棒状のノーモンが取り付けられた状態。
【図面の簡単な説明】
【００１０】
【図１】本体とバンドの一部を示した平面図である。
【図２】ノーモンの折り畳み例を示した断面図である。
【符号の説明】
【００１１】１    本体
２    文字盤
３    ノーモン
４    バンド
【図１】
0003117424.tif 000003
【図２】
0003117424.tif 000004
【手続補正書】
【提出日】平成17年9月13日(2005.9.13)
【手続補正１】
【補正対象書類名】実用新案登録請求の範囲
【補正対象項目名】全文
【補正方法】変更
【補正の内容】
【実用新案登録請求の範囲】
【請求項１】
日時計とそれを腕に装着する為のバンドから構成される携行用日時計
【請求項２】
ノーモンが折り畳める構造を特徴とする請求項１記載の携行用日時計
(57)【要約】      （修正有）【課題】従来の魚拓の制作の早急性への不便の解消及び気に入った魚拓の永久保存性への実現のための鋳造魚拓の提供。【解決手段】釣った魚のデジタルデータ化からの液体樹脂版制作により、非鉄金属で鋳造した魚拓。【選択図】図１
0003117427.tif 000002
【実用新案登録請求の範囲】
【請求項１】
写真及びデジタルデータ又は従来の魚拓から液体樹脂製版を作成し、それを原型として使用し、非鉄金属で鋳造する鋳造魚拓。
【考案の詳細な説明】
【技術分野】
【０００１】  本考案は、デジタルデータから作成した液状樹脂製版から鋳造した鋳造魚拓に関するものである。
【背景技術】
【０００２】  従来の墨魚拓は、釣り人にとって釣った魚の大きさを他人に見せようという記録である。
【考案の開示】
【考案が解決しようとする課題】
【０００３】  しかし、従来の魚拓は、比較的釣ってから時間が経たない間に、作業を開始しなくてはならず、表面のぬめりの除去の煩雑さや、紙などに写しとるためにある程度時間が経つと退色し見栄えが悪くなる。【０００４】  魚拓を制作するまでは、鱗を落とさないで、海水に入れて運ばなければならない、乾燥させてはならないなどの諸条件を守らなければならず、場合によっては魚拓制作する前に釣った魚を傷めてしまうと、完全な魚拓も制作する事はできない。
【課題を解決するための手段】
【０００５】  そこで、従来の魚拓の問題点を解決するため、本考案は、釣り人が釣った魚をその場で写真を撮りそれをデジタルデータ化し、液状樹脂製版を制作し非鉄金属により鋳造し表面は、研磨し場合によっては塗装する。
【考案の効果】
【０００６】  よって、本校案に鋳造立体魚拓により、釣った魚の写真１枚で、液状樹脂製版を作成できるため、釣った魚の運搬の手間も考えなくてもよく、その魚も躊躇なく食す事も可能になる。【０００７】  非鉄金属で鋳造するため、表面も研磨することにより光沢感がでるため、従来の紙の魚拓よりもさらに立体的で、本物の魚に近いため、見た目も綺麗で堅固である。【０００８】  気に入った既存の魚拓及び古い写真からも、液状樹脂製版を作成できるため、釣った魚の現物がなくても作成が可能である。
【実施例】
【０００９】  この鋳造魚拓に額縁の様に木枠を施し装飾品として最適であり、また鋳造品なので耐久性に大変優れているので、屋外や船の甲板に設置する事にも適している。
【図面の簡単な説明】
【００１０】
【図１】本校案の実施例の実施例を示す正面図である。
【図１】
0003117427.tif 000003
【手続補正書】
【提出日】平成17年9月9日(2005.9.9)
【手続補正１】
【補正対象書類名】実用新案登録請求の範囲
【補正対象項目名】全文
【補正方法】変更
【補正の内容】
【実用新案登録請求の範囲】
【請求項１】
写真及びデジタルデータ又は従来の魚拓から液体樹脂製版を作成し、それを原型として使用し、鋳造された非鉄金属での鋳造魚拓。
(57)【要約】【課題】情報が漏洩したことをいち早く察知し、情報を悪用されるのを未然に防ぐ。【解決手段】封筒の折り返し上部に一部切込みを入れ紙テープで巻くことで封印の役目をする。開封すると封筒の一部が破損するため開封したことが明確になり情報漏洩を察知し、未然に対処する。【実用新案登録請求の範囲】
【請求項１】
一度、開封すると再度貼り付けることができなくなり、開封したことが明確になるため情報漏洩が察知できる。
【考案の詳細な説明】
【技術分野】
【０００１】本発明は、本人が受け取る前に開封されたことがわかるため、情報漏洩したことが明確に知ることができる、密封型封筒です。
【背景技術】
【０００２】封筒の一部に穴をあけ紙テープで封印する。
【考案の開示】
【考案が解決しようとする課題】
【０００３】個人情報（パスワード、ＩＤ、暗証番号）など、第三者に知られた事が明瞭になることで、悪用されることを防げる。
【課題を解決するための手段】
【０００４】開封の有無を明確に判断できる。
【考案の効果】
【０００５】個人情報などが漏洩した可能性を、いち早く察知することができるため、新たなパスワード、ＩＤ、暗証番号等を変更する必要性を知ることができる。
【考案を実施するための最良の形態】
【０００６】封筒の折り返し上部に一部切込みを入れ紙テープで巻くことで封印の役目をする。開封すると封筒の一部が破損するため開封したことが一目瞭然でわかる。
【産業上の利用可能性】
【０００７】パスワード、ＩＤ、暗証番号等の発送（郵送）
【図面の簡単な説明】
【図１】 
【図１】
0003117421.tif 000002
【図２】
0003117421.tif 000003
【手続補正書】
【提出日】平成17年9月20日(2005.9.20)
【手続補正２】
【補正対象書類名】実用新案登録請求の範囲
【補正対象項目名】全文
【補正方法】変更
【補正の内容】
【実用新案登録請求の範囲】
【請求項１】
封筒の折り返しの一部分に穴をあけ、その切込み部分に紙を一周させることにより封印され開封された時には封筒の一部が破損する構造を有する情報開示確認封筒
【手続補正３】
【補正対象書類名】明細書
【補正対象項目名】全文
【補正方法】変更
【補正の内容】
【考案の詳細な説明】
【技術分野】
【０００１】本発明は、本人が受け取る前に開封されたことがわかるため、情報漏洩したことが明確に知ることができる、密封型封筒です。
【背景技術】
【０００２】封筒の一部に穴をあけ紙テープで封印する。
【考案の開示】
【考案が解決しようとする課題】
【０００３】個人情報（パスワード、ＩＤ、暗証番号）など、第三者に知られた事が明瞭になることで、悪用されることを防げる。
【課題を解決するための手段】
【０００４】開封の有無を明確に判断できる。
【考案の効果】
【０００５】個人情報などが漏洩した可能性を、いち早く察知することができるため、新たなパスワード、ＩＤ、暗証番号等を変更する必要性を知ることができる。
【考案を実施するための最良の形態】
【０００６】封筒の折り返し上部に一部切込みを入れ紙テープで巻くことで封印の役目をする。開封すると封筒の一部が破損するため開封したことが一目瞭然でわかる。
【産業上の利用可能性】
【０００７】パスワード、ＩＤ、暗証番号等の発送（郵送）
【図面の簡単な説明】
【０００８】
【図１】平面図  封をする前の状態で、線の部分に切込みをし、紙テープで一周巻きつく仕組み
【図２】平面図  開封した状態。紙テープで巻きつけたところが、開封することにより破損する
(57)【要約】      （修正有）【課題】クラブのグリップをベロで巻き込むように締めて、手の甲部分のベルクロで調整接着することで、フィンガーグリップとなり、柔らかく握ってもすっぽ抜けを防止し、ヘッドスピードを速くする。【解決手段】グローブの掌部分の指の付け根近くに、柔軟なグローブと同素材様のベロの一方を接着固定する。ベロの反対側にはベルクロを接着してあり、グローブの甲に接着したベルクロと一対をなす。【選択図】図３
0003117422.tif 000002
【実用新案登録請求の範囲】
【請求項１】
グリップ固定ベロを付けたゴルフグローブ
【考案の詳細な説明】
【技術分野】
【０００１】「本考案はゴルフクラブのグリップを固定する、ゴルフグローブに関する考案である。」
【背景技術】
【０００２】「従来ゴルフグローブは、グリップの滑り防止のため皮革・人造皮革で作られた普通の手袋であった。」
【考案の開示】
【考案が解決しようとする課題】
【０００３】従来、グリップは柔らかく握ることが良しとされてきた。しかし初心者や中級者はそのコツが掴めず、強く握り締めたり、緩く握りすぎてすっぽ抜けたりしていた。又、握り方もフィンガーに握るのが主流になりつつあるがそれを体得し、グリップも緩く握ってもすっぽ抜けないグローブである。
【課題を解決するための手段】
【０００４】グローブの掌部分の指の付け根近くに、柔軟なグローブと同素材様のベロの一方を接着固定する。ベロの反対側にはベルクロを接着してあり、グローブの甲に接着したベルクロと一対をなす構造のグローブ
【考案の効果】
【０００５】自然にフィンガーグリップとなり、柔らかく握ってもすっぽ抜けないことにより、腕・肩の力が抜けて遠心力がより大きく働き、ヘッドスピードが速くなり、飛距離も伸びる原因となる。
【考案を実施するための最良の形態】
【０００６】このグローブを装着し、クラブのグリップをベロで巻き込むように締めて、手の甲部分のベルクロで調整接着することで、フィンガーグリップとなり、柔らかく握ってもすっぽ抜けずヘッドスピードが速くなる。
【産業上の利用可能性】【    】
【図面の簡単な説明】
【０００７】
【図１】「ゴルフグローブ掌の平面図。」
【図２】「ゴルフグローブ甲の平面図。」
【図３】「ゴルフグローブ使用の立体図。」
【符号の説明】
【０００８】１  ベロ
２  ベルクロ
３  クラブグリップ
【図１】
0003117422.tif 000003
【図３】
0003117422.tif 000004
【手続補正書】
【提出日】平成17年8月30日(2005.8.30)
【手続補正１】
【補正対象書類名】図面
【補正対象項目名】図１
【補正方法】変更
【補正の内容】
【図１】
0003117422.tif 000005
【手続補正２】
【補正対象書類名】図面
【補正対象項目名】図２
【補正方法】変更
【補正の内容】
【図２】
0003117422.tif 000006
(57)【要約】      （修正有）【課題】薄型で、個人での製作や取り付けが容易な無機ＥＬ薄型電飾広告看板を提供する。【解決手段】無機ＥＬシート４を発光源として広告印刷物と吸盤を加工した透明状のシート３，２を用いることで薄型の電飾広告看板を製作でき、ガラス面１に貼り付けるだけで簡単に電飾看板や広告パネルを作成することができる。【選択図】図１
0003117425.tif 000002
【実用新案登録請求の範囲】
【請求項１】
全面均一発光及び分割発光を行うことができる無機ＥＬシートを発光体として、接続する直流入力インバーター又は交流入力インバーターを組み合わせることを特徴とする。
【請求項２】
吸盤を加工した透明状のシートに印刷物を裏面から当て、請求項１記載の無機ＥＬシートを印刷物の後面に固定することで薄型の電飾広告看板を製作し取り付けや取り外しに工具を使用せずにショーウィンドウやガラス窓などの内側、外側に貼り付けて使用することでフレームやケースを用いないことを特徴とする。
【請求項３】
請求項１記載の無機ＥＬシートはＥＬ発光体と電極の印刷内容を変えることで１枚のシート上で、点滅発光、分割発光、ＥＬ蛍光体に着色材を混入したカラー発光及び時計表示、情報表示、透かし発光が可能であることを特徴とする。
【請求項４】
請求項１記載の無機ＥＬシートは接続されるインバーターの出力制御を変えることで、無機ＥＬシートを複数枚同時に輝度調整、点滅発光、分割発光、入力周波数の異なるカラー発光及び時計表示、情報表示、透かし発光が可能であることを特徴とする。
【請求項５】
請求項２記載の吸盤を加工した透明状のシート以外に平面及び曲面の壁に取り付けることのできる吸盤、粘着テープ、粘着シート、静電テープ、静電シートを利用して製作することが可能であることを特徴とする。
【考案の詳細な説明】
【技術分野】
【０００１】この発明はショーウィンドゥやガラス窓を利用した無機ＥＬ薄型電飾広告看板である。
【背景技術】
【０００２】従来の発光体では薄型の電飾広告看板を作成することが難しく、広告を行う看板自体に電飾発光の動きを入れることが難しいとされ、個人での製作や取り付けは非常に困難とされてきた。
【考案の開示】
【考案が解決しようとする課題】
【０００３】この発明は無機ＥＬの特性を利用し広告を点滅させたり分割発光を行うことで宣伝効果を高めることと製品購入者が看板、広告の製作を自作しショーウィンドウやガラス窓に吸盤を加工した透明状のシートで貼り付けることでフレームやケース、設置費用を省き、薄型の電飾広告看板を業社に依頼することなく個人で設置できることを課題とする。
【課題を解決するための手段】
【０００４】以上の課題を解決するために、無機ＥＬシートとインバーターを利用したことを特徴とする薄型電飾広告看板を作成し、組み合わさる吸盤を加工した透明状のシートを用いショーウィンドウやガラス窓を利用して電飾広告看板とする。
【考案の効果】
【０００５】この方法を用いれば、手軽に宣伝効果の高い薄型の電飾広告看板を自作する事が可能で、電飾広告看板の設置や広告印刷物のデザイン変更も購入者自身で簡単に作成できる。
【考案を実施するための最良の形態】
【０００６】この発明の一実施形態を図１に示す。
完成品の構成は▲３▼透過性の有るシートにインクジェットプリンターやカラーコピー機で印刷を行い、印刷された広告印刷物の裏面に▲４▼無機ＥＬシートの発光面を当て▲２▼吸盤を加工した透明状のシートに挟んで固定する。▲６▼ＥＬインバーター配線を▲５▼無機ＥＬシートのＥＬインバーター配線コネクタに接続し、▲７▼インバーターと▲８▼ＡＣ／ＤＣアダプターに接続し、▲９▼ＡＣプラグをＡＣコンセントに差し込む。ＡＣアダプターとインバーターが一体式のものは直接ＡＣコンセントに差し込む。複数に分かれたシートを▲１▼ショーウィンドウやガラス面に吸盤を利用して張り付けるだけでレイアウトを自由にした電飾広告看板が作成できる。
【実施例】
【０００７】図１の実施形態では無機ＥＬシート、広告印刷物、吸盤を加工した透明状のシートを各４枚組み合わせたものであるが他の実施形態では組合せ枚数を変えたり、指定サイズ以外のものを組み合わせたものでも良い。
【図面の簡単な説明】
【０００８】
【図１】この考案の一実施形態を示した構成図である。
【符号の説明】
【０００９】▲１▼ガラス面
▲２▼吸盤を加工した透明状のシート
▲３▼印刷された透過性の有るシート
▲４▼無機ＥＬシート
▲５▼ＥＬインバーター配線コネクタ
▲６▼ＥＬインバーター配線
▲７▼インバーター
▲８▼ＡＣ／ＤＣアダプター
▲９▼ＡＣプラグ
【図１】
0003117425.tif 000003
【手続補正書】
【提出日】平成17年9月13日(2005.9.13)
【手続補正１】
【補正対象書類名】実用新案登録請求の範囲
【補正対象項目名】全文
【補正方法】変更
【補正の内容】
【実用新案登録請求の範囲】
【請求項１】
全面均一発光及び分割発光を行うことができる無機ＥＬシートを発光体として、接続する直流入力インバーター又は交流入力インバーターを組み合わせることを特徴とする無機ＥＬ薄型電飾広告看板である。
【請求項２】
吸盤を加工した透明状のシートに印刷物を裏面から当て、請求項１記載の無機ＥＬシートを印刷物の後面に固定することで薄型の電飾広告看板を製作し取り付けや取り外しに工具を使用せずにショーウィンドウやガラス窓などの内側、外側に貼り付けて使用することでフレームやケースを用いないことを特徴とする無機ＥＬ薄型電飾広告看板である。
【請求項３】
請求項１記載の無機ＥＬシートはＥＬ発光体と電極の印刷内容を変えることで１枚のシート上で、点滅発光、分割発光、ＥＬ蛍光体に着色材を混入したカラー発光及び時計表示、情報表示、透かし発光が可能であることを特徴とする無機ＥＬ薄型電飾広告看板である。
【請求項４】
請求項１記載の無機ＥＬシートは接続されるインバーターの出力制御を変えることで、無機ＥＬシートを複数枚同時に輝度調整、点滅発光、分割発光、入力周波数の異なるカラー発光及び時計表示、情報表示、透かし発光が可能であることを特徴とする無機ＥＬ薄型電飾広告看板である。
【請求項５】
請求項２記載の吸盤を加工した透明状のシート以外に平面及び曲面の壁に取り付けることのできる吸盤、粘着テープ、粘着シート、静電テープ、静電シートを利用して製作することが可能であることを特徴とする無機ＥＬ薄型電飾広告看板である。
(57)【要約】  【課題】    耐用性、実用性が高く、且つ環境保護効果を備えた、簡易紙製ハンガーの提供。  【解決手段】    非製紙類の植物繊維から製成された原料パルプを用い、パルプモールド方式で成型して製成された簡易紙製ハンガーであって、該簡易紙製ハンガーが掛部及び支持部を含み、該掛部及び支持部内にそれぞれ数個の内側に向かって凹んだ補強部を形成し、且つ、ハンガー全体の外側表面に化学補助剤を塗布したことを特徴とする。  【選択図】    図２A 
0003117402.tif 000002
【実用新案登録請求の範囲】
【請求項１】
非製紙類の植物繊維から製成された原料パルプを用い、パルプモールド方式で成型して製成された簡易紙製ハンガーであって、該簡易紙製ハンガーが掛部及び支持部を含み、該掛部及び支持部内にそれぞれ数個の内側に向かって凹んだ補強部を形成し、且つ、ハンガー全体の外側表面に化学補助剤を塗布したことを特徴とする、簡易紙製ハンガー。  
【請求項２】
前記のうち、該原料パルプが竹、椰子、麻、椰子の殼等のうち１つまたは混合を含んで成る、請求項１に記載の簡易紙製ハンガー。
【請求項３】
前記のうち、該化学補助剤が防水塗料である、請求項１に記載の簡易紙製ハンガー。
【請求項４】
前記のうち、該化学補助剤が耐溶剤腐蝕性の塗料である、請求項１に記載の簡易紙製ハンガー。
【考案の詳細な説明】
【技術分野】
【０００１】
本考案は、簡易紙製ハンガーに関し、特に、非製紙類の植物繊維から成るハンガーであって、耐用性と実用性を備えているだけでなく、環境保護にも効果のある、簡易紙製ハンガーに関する。
【背景技術】
【０００２】
現在、一般的に及びドライクリーニング店ではほとんどがプラスチック製のハンガーを使用しており、クリーニングを終えアイロンがけをした後の衣類は、衣類を折り畳み収納することのよる皺の発生を回避するため、吊るして掛けるのが一般的である。図１に示すように、このような簡易ハンガーは、プラスチック射出しの一体成型により製造され、ハンガーaの辺縁部分に肉厚を増加する方法で補強部a1を形成し、使用時の断裂を防ぐと共に、プラスチック材質は本来防水性を備えている。該ハンガーaは、衣類に付随する形でクリーニング店から顧客に贈られるため、使い捨てのタイプに属すると言え、コストが低く、実用性が高い等の利点を備えているが、近年環境保護の理念が広く提唱されるようになり、このため、このような使い捨て商品も環境保護の関連規定に符合したものである必要があり、プラスチック材料は後処理上比較的高いコストがかかるため、改良が求められている。
【考案の開示】
【考案が解決しようとする課題】
【０００３】
本考案は、上述の従来構造の欠点に鑑みて、考案者の該項事業における長年の経験に基づき研究を重ね、斬新な簡易紙製ハンガーを提供するものである。
【０００４】
本考案の主な目的は、耐用性、実用性が高く、且つ環境保護効果を備えた、簡易紙製ハンガーを提供することにある。
【課題を解決するための手段】
【０００５】
上述の目的を達するため、本考案の簡易紙製ハンガーは、主に、原料パルプからパルプモールド方式で簡易紙製ハンガーを成型し、該簡易紙製ハンガーは、掛部及び支持部を備え、該掛部及び支持部内にそれぞれ数個の内側に凹んだ補強部を形成し、且つ、ハンガー全体の外側表面に一層の化学補助剤を塗布する。
【０００６】
本考案の原料パルプは非純紙パルプの植物繊維から成り、該原料パルプは竹や椰子、麻、椰子の殼等の繊維が粗いため紙類に製成することができず、通常は直接捨てられて廃棄物となるものを利用し、環境保護の理念に基づいて、粉碎・パルプ化・磨砕等を経て、パルプとは異なる原料パルプを形成し、次に、パルプモールド方式で、このパルプモールド成型で使用するモールドは設計を経て原料パルプを一体成型することができ、さらに、簡易紙製ハンガーの表面に化学補助剤を塗布することで、耐水性、耐蒸気性、耐溶剤性が形成され、且つ完成品の表面強度が補強され、耐用性と実用性を備えていると同時に環境保護の効果を発揮する。
【考案を実施するための最良の形態】
【０００７】
本考案の構造、装置及びその特徴について、以下最良の実施例と図面に基づき詳細に説明する。
【０００８】
図２A、図２B、図３、図４に示すように、本考案の簡易紙製ハンガーは、原料パルプをパルプモールド方式で成型し、簡易紙製ハンガー1を形成し、該原料パルプは竹、椰子、麻、椰子の殼等のうち１つまたは混合を含んで製成され、そのうち、該簡易紙製ハンガー1は、掛部10及び支持部20を備え、該掛部10は鉤状を呈し、且つ、該掛部10及び支持部20内にそれぞれ数個の内側に向かって凹んだ補強部30を設け、さらに、ハンガー全体の外側表面に一層の化学補助剤40を塗布し、該化学補助剤40は耐水性と耐蒸気性を備えた防水塗料、または耐溶剤腐食性を備えた塗料とすることができ、同時に完成品の表面強度が補強される。
【０００９】
上述のように、本考案の簡易紙製ハンガーは、非純紙パルプの植物繊維を利用して製成された簡易紙製ハンガーであり、その構造において補強部を備え、且つ、ハンガー全体の外側表面に化学補助剤を塗布することで、確実に耐用性と実用性を得ると同時に、環境保護の効果もある。このように、本考案は実用性と進歩性を兼ね備えているため、特許法の規定に基づき、ここに実用新案登録の出願をするものである。
【図面の簡単な説明】
【００１０】
【図１】従来のハンガーの立体図である。
【図２Ａ】本考案のハンガーの立体図である。
【図２Ｂ】本考案のハンガーの別の形態の立体図である。
【図３】図２Aの断面図である。
【図４】図３の部分拡大図である。
【符号の説明】
【００１１】
１        簡易紙製ハンガー
１０      掛部
２０      支持部
３０      補強部
４０      化学補助剤塗布部分の拡大図
【図１】
0003117402.tif 000003
【図２Ａ】
0003117402.tif 000004
【図２Ｂ】
0003117402.tif 000005
【図３】
0003117402.tif 000006
【図４】
0003117402.tif 000007
(57)【要約】      （修正有）【課題】電線を用途別におおまかに仕分けることができるＳ字型ケーブルハンガーを提供する。【解決手段】固定部の上下に電線収納部４をそれぞれ相反する向きのＳ字状にして、現場の状況に応じて上下の収納部に任意に電線を振り分けるようにしたものである。また、上下に分割させたケーブルハンガーは、結合部３で連結が可能なので、必要に応じて装着すれば新たな別のハンガーを固定せずに迅速に増設に対応できる。【選択図】図１
0003117406.tif 000002
【実用新案登録請求の範囲】
【請求項１】
１図、２図のように、上下に相反する向きの電線収納部１があり、Ｓ字状の一体型の樹脂製ケーブルハンガー。
【請求項２】
３図、４図のように、固定側ケーブルハンガー６に増設用の結合部３によって連結し、Ｓ字状になる樹脂製ケーブルハンガー。
【考案の詳細な説明】
【技術分野】本考案は、屋内配線の電線を支持するケーブルハンガーである。
【考案が解決しようとする課題】
既製の樹脂製ケーブルハンガーは、電線のが固定側に対し、正面又は背面の一方方向のものでしかなく、施工現場の条件や配線状況は同一ではないので施工性には難点があった。
【考案を解決するための手段】
本考案は、配線作業性の効率化のために図１、図２のようにＳ字状の一体型にして，配線状況に応じて上下どちらにも任意の位置に留めるようにしたものである。  また、図３、図４のように固定側  増設側を分離させて現場の状況に応じて増設側を装着すれば、施工性が良いＳ字状のケーブルハンガーになり、電線の収容増に迅速に対応できるようになる。
【考案の効果】
固定部の上下に収容部があるので、電線の系統別の仕分けや電圧の異なる電線間の適度なスペースになるのでノイズや誘導電流の低減にも役立つ。
しかも、ケーブルーハンガーの弱点である電線間の隣接が避けれるので放熱効果も得られる。
図３、図４の固定側ハンガー５は、単独でも正面や背面から固定ができる他に、固定側ハンガー５を背面から固定して、図３、図４の増設側ハンガー６を装着すると、上下共背面を向くので、電線が外れにくいケーブルハンガーになる。
【図面の簡単な説明】図１、図２は、Ｓ字状の一体型のケーブルハンガーの斜視図で結合部３が異なる。
図３、図４は、固定側ハンガー本体５と増設側ハンガー本体６が、各々独立したタイプのケーブルハンガーの前面と後面の斜視図。
１  上下一体型の固定側ハンガー
２  上下一体型の増設側ハンガー
３  結合部
４  電線収納部
５  上下分離型の固定側ハンガー
６  上下分離型の増設側ハンガー
７  固定用の釘、ビス穴
0003117406.tif 000003
0003117406.tif 000004
【手続補正書】
【提出日】平成17年8月31日(2005.8.31)
【手続補正１】
【補正対象書類名】実用新案登録請求の範囲
【補正対象項目名】全文
【補正方法】変更
【補正の内容】
【実用新案登録請求の範囲】
【請求項１】
固定部の上下に相反する向きに開口された電線の支持部があるＳ字状の樹脂製ケーブルハンガー
【請求項２】
固定部が連結部を介して分離された、請求項第１項記載の樹脂製ケーブルハンガー
【手続補正２】
【補正対象書類名】明細書
【補正対象項目名】全文
【補正方法】変更
【補正の内容】
【考案の詳細な説明】
【技術分野】本考案は、屋内配線の電線を支持するケーブルハンガーである。
【考案が解決しようとする課題】
既製のケーブルハンガーは、電線の支持部１が正面又は背面に一方向に開口したものしかなく、電線を用途別におおまかに仕分けることはできない。そこで新たに別なハンガーを取り付けたり、結束バンド等で束ねて仕分けをするのだが。現場の条件は常に同一ではないので新たにハンガーを取り付けるスペースが無かったり、手数がかかるので作業効率に難点がある。
【考案を解決するための手段】
本考案は、作業性の効率化のために図１、図２のようにＳ字状の一体型にして、配線の状況に応じて上下どちらにもに任意の位置に留めるようにしたものである。また、図３、図４のように固定側と増設側を分離させて現場の状況に応じて図４の増設側ハンガーを装着すると、施工性の良いＳ字状のケーブルハンガーになり、電線の収納増に迅速に対応できるようになる。
【考案の効果】
固定部２の上下に電線の支持部があるので、電線の目的別の仕分けや電圧の異なる電線間の適度なスペースになるのでノイズや誘導電流の低減にも役立つ。
しかも、ケーブルハンガーの弱点である電線間の隣接が避けられるので放熱効果も得られる。
図３、図４の分離タイプのハンガーは、支持する電線が少ない時に図３の固定側を使い、双方に連結部３があるのでワンタッチで図４の増設側のハンガーが装着できる。
また、図３の固定側ハンガーを背面から固定し、図４の増設側を装着すると上下共に支持部１が内側に向き、固定面と接するので電線が外れにくいケーブルハンガーになる。
【図面の簡単な説明】
【図１】  一体型の固定側ハンガー
【図２】  一体型の増設側ハンガー
【図３】  分離型の固定側ハンガー
【図４】  分離型の増設側ハンガー  １  電線支持部  ２  固定部  ３  連結部  ４  釘穴
【手続補正３】
【補正対象書類名】図面
【補正対象項目名】全図
【補正方法】変更
【補正の内容】
【図１】
0003117406.tif 000005
【図２】
0003117406.tif 000006
【図３】
0003117406.tif 000007
【図４】
0003117406.tif 000008
(57)【要約】      （修正有）【課題】亡くなった方の骨の一部を、いつも持ち歩きたい、共にいたいと願うとき、ペンダントなど手軽なものに内包して持ち歩くものを提供する。【解決手段】遺骨を内包した、数珠、ペンダントやキーホルダー、携帯ストラップなどの遺骨入りアクセサリーを作成する。素材に関してはガラスや、プラスチック、木等が考えられる。チェーンの部分は、シルバー素材等にするのもよい。【選択図】図２
0003117404.tif 000002
【実用新案登録請求の範囲】
【請求項１】
遺骨を内包した、数珠、ペンダント、キーホルダー、携帯ストラップなどの遺骨アクセサリー。
【考案の詳細な説明】
【技術分野】
【０００１】  本考案は、遺骨を内包した、遺骨入りアクセサリーである。
【背景技術】
【０００２】  亡くなった方の骨の一部を、いつも持ち歩きたい、共にいたいと願うとき、なかなかペンダントなど手軽なものに内包して持ち歩くということが
【考案の開示】
【考案が解決しようとする課題】
【０００３】  亡くなった方の骨の一部を、いつも持ち歩きたい。これからも共に生きようと願うとき、物がものだけに大切にくるんだり、でも結局は無くしたり落としたりするわけにはいかないので、よい方法がなかった。
【課題を解決するための手段】
【０００４】そこで、遺骨を内包した、数珠、ペンダントやキーホルダー、携帯ストラップなどの遺骨入りアクセサリーを提案する。
【考案の効果】
【０００５】亡くなった人をそばに感じながら共に生きていくことができる。
【考案を実施する最良の形態】
【０００６】  素材に関してはガラスや、プラスチック、木等が考えられる。チェーンの部分は、シルバー素材等にするのもよい。
【図面の簡単な説明】
【０００７】
【図１】本考案の遺骨入り数珠の正面図
【図２】本考案の遺骨入りペンダントの正面図
【図１】
0003117404.tif 000003
【図２】
0003117404.tif 000004
(57)【要約】【課題】  夜間など、静かな環境では、二胡などの胡琴を周囲に迷惑をかけることない音量で演奏することは困難であった。  一方、コンサートなど大きな場所では、音量は不足であった。このような二胡などの胡琴の音量の不都合の解消。【解決手段】  共振部１にほとんど共振しない材料を用い、共鳴を押さえ、駒３に直接接続したピックアップにより演奏を電気信号化し、ヘッドフォンなどにより演奏者本人のみが聞けるように静音化し、また、音量不足を解消するため、外部音響設備に接続出来るようにしたことにより課題が解決する。【選択図】  図１
0003117409.tif 000002
【実用新案登録請求の範囲】
【請求項１】
共振部分にほとんど共振しない材料（木など）を用い楽器の出す音量を大幅に縮小すると共に、駒にピックアップを直接接続し、弦の振動を電気信号に変換し、演奏音を直接ヘッドフォンなどにより聞くことのできる二胡および同一構造の京胡、中胡、高胡、低胡、板胡などの胡琴。
【請求項２】
駒にピックアップを直接接続することにより、弦の振動を電気信号に変換し、外部音響設備に接続することにより、演奏音以外の雑音を拾うことなく、演奏音のみを自由に拡大縮小できる電気二胡、および同一構造の京胡、中胡、高胡、低胡、板胡などの電気胡琴。
【考案の詳細な説明】
【技術分野】
【０００１】
本考案は、弦楽器の二胡及び同一構造の胡琴に関する。
【背景技術】
【０００２】
弦楽器の二胡及び同一構造の胡琴（二胡、京胡、中胡、高胡、低胡、板胡など、弦と共鳴箱を用いた中国の擦弦楽器の総称）は、駒を介して、弦の振動を本体に張られた蛇皮等に伝え、それを共振させ、本体胴体を共鳴させ音を出していた。
【考案の開示】
【考案が解決しようとする課題】
【０００３】
しかし、これでは、夜間など、静かな環境で、周囲に迷惑をかけることのない音量で演奏することははなはだ困難であった。一方、コンサートなど大きな場所では、音量が不足であった。
【課題を解決するための手段】
【０００４】
そこで、静かに二胡の演奏が出来るように静音化し、電源を入れて、ヘッドフォン等を用いて演奏者のみが演奏音を聞くことでき、しかも外部音響設備を利用し、演奏音を自由に拡大縮小することも出来る電気二胡を考案した。
【考案の効果】
【０００５】
よって、夜間でも、周囲をはばかることなく、二胡を演奏することが出来る。
また、コンサートなどでは、電気二胡（エレキ二胡）として、十分な音量を出せる。
【考案を実施するための最良の形態】
【０００６】
静音効果を高めるため、二胡の本体前面の共振部分１に、蛇皮などのかわりに、ほとんど共振しない材料（木材など）を使用する。これにより弦２に与えられた振動は、駒３より共振部分１でほとんど共振せず、これにより本体での共鳴も防げ、音量は大幅に縮小する。演奏者本人が、演奏音を聞くには、駒３に直接接続された本体内部にあるピックアップ４により電気信号化されたものを、本体側面にあるヘッドフォン接続口５よりヘッドフォンを用いる。本体には、音量調節ボタン６がついており、好みの音量で、周囲にはばかることなく、練習が出来る。また、弦２の振動を駒３に接続されたピックアップ４により直接拾うため、周囲の雑音を収集することなく、演奏音のみが、本体側面の外部音響設備接続口７より接続したオーディオシステムなどの音響設備により、電気二胡（エレキ二胡）として利用できるだけでなく、大音量が可能となり、音楽ホールの施設やライブホールなどの利用が可能となる。
【図面の簡単な説明】
【０００７】
【図１】本考案に係わる二胡の胴体部分の側面図である
【図２】本考案に係わる二胡の胴体部分の正面図である
【図３】本考案に係わる二胡の胴体部分を上部より見た断面図である
【図４】本考案に係わる二胡の全体の側面図である
【符号の説明】
【０００８】
１  二胡の本体前面の共振部
２  弦
３  駒
４  ピックアップ
５  ヘッドフォン接続口
６  音量調節ボタン
７  外部音響設備接続口
８  電源スイッチ
９  電源表示ランプ
１０  電池ホルダー
【図１】
0003117409.tif 000003
【図２】
0003117409.tif 000004
【図３】
0003117409.tif 000005
【図４】
0003117409.tif 000006
【手続補正書】
【提出日】平成17年7月26日(2005.7.26)
【手続補正１】
【補正対象書類名】実用新案登録請求の範囲
【補正対象項目名】請求項１
【補正方法】変更
【補正の内容】
【請求項１】
共振部分にほとんど共振しない材料を用い楽器の出す音量を大幅に縮小すると共に、駒にピックアップを直接接続し、弦の振動を電気信号に変換し、演奏音を直接ヘッドフォンなどにより聞くことのできる二胡および同一構造の京胡、中胡、高胡、低胡、板胡などの胡琴